(57)【要約】  機器から機器への通信方法及び通信装置を提供する。該方法において、セルラアップリンク伝送のＨＡＲＱプロセスに応じて専用サブフレームを配置し、ここで、当該専用サブフレームは機器から機器への通信に用いられ；専用サブフレームの配置に応じて指示シグナリングを生成し、ここで、当該指示シグナリングは専用サブフレームを指示し；指示シグナリングをユーザ機器に送信する。本発明によると、セルラ伝送と機器間のＤ２Ｄ通信を同時に行う時、両方の互換性を保証でき、データ伝送の信頼性を確保でき、ユーザ体験の効果を向上させる。
2015518309.tif 000002
【特許請求の範囲】
【請求項１】
セルラアップリンク伝送のハイブリッド自動再送要求ＨＡＲＱプロセスに応じて、機器から機器への通信に用いられる専用サブフレームを配置し、
前記専用サブフレームの配置に応じて、前記専用サブフレームを指示するための指示シグナリングを生成し、
前記指示シグナリングをユーザ機器に送信するステップを含む機器から機器への通信方法。
【請求項２】
前記専用サブフレームが、
前記ユーザ機器が前記機器から機器への通信を行う際の送信サブフレームと、
前記ユーザ機器が前記機器から機器への通信を行う際の受信サブフレームと、
前記ユーザ機器が前記機器から機器への通信を行う際の送受信サブフレームの中の一つである請求項１に記載の方法。
【請求項３】
前記専用サブフレームの配置に応じて機器から機器への通信のＨＡＲＱプロセスの往復時間ＲＴＴを確定するステップを更に含み、
前記機器から機器への通信のＨＡＲＱプロセスのＲＴＴが前記セルラアップリンク伝送のＨＡＲＱプロセスのＲＴＴと同じであって、又は、
前記機器から機器への通信のＨＡＲＱプロセスのＲＴＴが前記セルラアップリンク伝送のＨＡＲＱプロセスのＲＴＴの２倍であって、又は、
前記機器から機器への通信のＨＡＲＱプロセスのＲＴＴが前記専用サブフレーム中のサブフレーム分布、フィードバック遅延、スケジューリング遅延によって確定され、又は、
前記機器から機器への通信のＨＡＲＱプロセスのＲＴＴがセルラアップリンク伝送の連続する２つのＲＴＴの和である請求項１又は２に記載の方法。
【請求項４】
前記セルラアップリンク伝送のＨＡＲＱプロセスに応じて前記専用サブフレームを配置するステップが、
前記指示シグナリングにより指示された専用サブフレームが前記ユーザ機器による機器から機器への通信の送信サブフレームで、前記ユーザ機器は予め設定した規則に従って、前記機器から機器への通信の受信サブフレームを確定し、ここで、前記予め設定した規則は、当該送信サブフレームに対応するセルラアップリンク伝送のＨＡＲＱプロセス間隔の予め設定した数量のセルラアップリンク伝送のＨＡＲＱプロセスに対応するサブフレームが前記機器から機器への通信を行う際の受信サブフレームでって、又は、前記予め設定した規則は、前記送信サブフレームがセルラアップリンク伝送のＨＡＲＱプロセス中の一部のサブフレームに対応し、前記セルラアップリンク伝送のＨＡＲＱプロセス中の他のサブフレームが前記機器から機器への通信を行う際の受信サブフレームであって、
又は、
前記指示シグナリングによりそれぞれ前記ユーザ機器による機器から機器への通信の送信サブフレームと機器から機器への通信の受信サブフレームを指示することを含む請求項１又は２に記載の方法。
【請求項５】
ビットマップ指示シグナリングによって前記機器から機器への通信用の専用サブフレームを指示することを含み、ここで、前記ビットマップ指示シグナリング中の各ビットはそれぞれ、前記セルラアップリンク伝送ＨＡＲＱプロセスに対応するサブフレームが前記専用サブフレームとして配置されたか否かを示し、又は、前記ビットマップ指示シグナリング中の各ビットはそれぞれ、無線フレーム中のサブフレームが前記専用サブフレームとして配置されたか否かを示す請求項１又は４に記載の方法。
【請求項６】
ユーザ機器が、専用サブフレーム配置指示シグナリングを受信し、ここで、前記指示シグナリングは前記専用サブフレームを指示するためのものであって、前記専用サブフレームはセルラアップリンク伝送ハイブリッド自動再送要求ＨＡＲＱプロセスに応じて配置した機器から機器への通信に用いられる専用サブフレームであって、
前記ユーザ機器が、前記専用サブフレームで機器から機器への通信を行うステップを含む機器から機器への通信方法。
【請求項７】
前記専用サブフレームが、
前記ユーザ機器が前記機器から機器への通信を行う際の送信サブフレームと、
前記ユーザ機器が前記機器から機器への通信を行う際の受信サブフレームと、
前記ユーザ機器が機器から機器への通信を行う際の送受信サブフレームの中の一つである請求項６に記載の方法。
【請求項８】
前記ユーザ機器が前記専用サブフレームで前記機器から機器への通信を行うステップが、
前記指示シグナリングにより前記ユーザ機器による機器から機器への通信の送信サブフレームを指示し、前記ユーザ機器が予め設定した規則に従って、機器から機器への通信の受信サブフレームを確定し、ここで、前記予め設定した規則は当該送信サブフレームに対応するセルラアップリンク伝送のＨＡＲＱプロセス間隔の予め設定した数量のセルラアップリンク伝送のＨＡＲＱプロセスに対応するサブフレームが前記機器から機器への通信を行う際の受信サブフレームである、又は、前記予め設定した規則は、前記送信サブフレームがセルラアップリンク伝送ＨＡＲＱプロセス中の一部のサブフレームに対応し、前記セルラアップリンク伝送ＨＡＲＱプロセス中の他のサブフレームは前記機器から機器への通信を行う際の受信サブフレームであって、
又は、
前記指示シグナリングにより前記機器から機器への通信の送信サブフレームと受信サブフレームを指示することを含む請求項７に記載の方法。
【請求項９】
ビットマップ指示シグナリングによって前記機器から機器への通信用の専用サブフレームを指示するステップを含み、ここで、前記ビットマップ指示シグナリング中の各ビットはそれぞれ、前記セルラアップリンク伝送ＨＡＲＱプロセスに対応するサブフレームが前記専用サブフレームとして配置されたか否かを示し、又は、前記ビットマップ指示シグナリング中の各ビットがそれぞれ、無線フレーム中のサブフレームが前記専用サブフレームとして配置されたか否かを示す請求項６又は８に記載の方法。
【請求項１０】
セルラアップリンク伝送ハイブリッド自動再送要求ＨＡＲＱプロセスに応じて、機器から機器への通信に用いられる専用サブフレームを配置する配置モジュールと、
前記配置モジュールが配置した専用サブフレームに応じて、機器から機器への通信用の専用サブフレームを指示するための指示シグナリングを生成するシグナリング生成モジュールと、
前記シグナリング生成モジュールが生成した指示シグナリングをユーザ機器に送信する送信モジュールと、を含む機器から機器への通信装置。
【請求項１１】
前記専用サブフレームが、
前記ユーザ機器が前記機器から機器への通信を行う際の送信サブフレームと、
前記ユーザ機器が前記機器から機器への通信を行う際の受信サブフレームと、
前記ユーザ機器が前記機器から機器への通信を行う際の送受信サブフレームの中の一つである請求項１０に記載の装置。
【請求項１２】
前記配置モジュールが、
前記指示シグナリングによって前記ユーザ機器による機器から機器への通信の送信サブフレームを指示し、前記ユーザ機器が予め設定した規則に従って、機器から機器への通信の受信サブフレームを確定する第１の配置ユニットと、ここで、前記予め設定した規則は、当該送信サブフレームに対応するセルラアップリンク伝送のＨＡＲＱプロセス間隔の予め設定した数量のセルラアップリンク伝送のＨＡＲＱプロセスに対応するサブフレームが前記機器から機器への通信を行う際の受信サブフレームである、又は、前記予め設定した規則は、前記送信サブフレームがセルラアップリンク伝送ＨＡＲＱプロセス中の一部のサブフレームに対応し、前記セルラアップリンク伝送ＨＡＲＱプロセス中の他のサブフレームは前記機器から機器への通信を行う際の受信サブフレームであって、
前記指示シグナリングによって前記機器から機器への通信の送信サブフレームと受信サブフレームを指示する第２の配置ユニットの中の一つを含む請求項１０又は１１に記載の装置。
【請求項１３】
専用サブフレーム配置指示シグナリングを受信する受信モジュールと、ここで、前記指示シグナリングは専用サブフレームを指示するためのもであって、前記専用サブフレームはセルラアップリンク伝送ハイブリッド自動再送要求ＨＡＲＱプロセスに応じて配置した機器から機器への通信に用いられる専用サブフレームであって、
前記専用サブフレームで機器から機器への通信を行う通信モジュールと、を含む機器から機器への通信装置。
【請求項１４】
前記専用サブフレームが、
前記ユーザ機器が前記機器から機器への通信を行う際の送信サブフレームと、
前記ユーザ機器が前記機器から機器への通信を行う際の受信サブフレームと、
前記ユーザ機器が前記機器から機器への通信を行う際の送受信サブフレームの中の一つである請求項１３に記載の装置。
【請求項１５】
前記通信モジュールが、
前記指示シグナリングに応じて前記機器から機器への通信の送信サブフレームを確定し、予め設定した規則に従って前記機器から機器への通信の受信サブフレームを確定する第１の確定ユニットと、ここで、前記予め設定した規則は、当該送信サブフレームに対応するセルラアップリンク伝送ＨＡＲＱプロセス間隔の予め設定した数量のセルラアップリンク伝送のＨＡＲＱプロセスに対応するサブフレームが前記機器から機器への通信を行う際の受信サブフレームであって、又は、予め設定した規則、前記送信サブフレームがセルラアップリンク伝送ＨＡＲＱプロセス中の一部のサブフレームに対応し、セルラアップリンク伝送ＨＡＲＱプロセス中の他のサブフレームが機器から機器への通信を行う際の受信サブフレームであって、
前記指示シグナリングに応じて前記機器から機器への通信の送信サブフレームと受信サブフレームを確定する第２の確定ユニットの中の一つを含む請求項１３又は１４に記載の装置。
【発明の詳細な説明】
【技術分野】
【０００１】
本発明は、通信領域に関し、具体的には、機器から機器への通信方法及び通信装置に関する。
【背景技術】
【０００２】
セルラ通信システムが限りのある周波数スペクトルリソースの多重化を実現するため、無線通信技術が更なる発展を実現することができる。セルラシステムにおいて、２つのユーザ機器（User  Equipment、ＵＥと略称）の間で業務の伝送を行う必要がある場合に、ユーザ機器１（ＵＥ１）からユーザ機器２（ＵＥ２）への業務データは、先ず、エアインターフェースを介して基地局１に伝送され、基地局１からコアネットワークを介して当該業務データを基地局２に伝送し、基地局２は上記業務データをエアインターフェースを介してＵＥ２に伝送する。ＵＥ２からＵＥ１への業務データの伝送は類似する処理フローで行われる。図１は、関連技術に係わるＵＥが同一基地局のセルに位置する際のセルラ通信を示す図である。図１に示すように、ＵＥ１とＵＥ２が同一のセルラセルに位置する際、基地局１と基地局２が同一の基地局であるにも関わらず、１回のデータ伝送で２回分の無線周波数スペクトルリソースを消費してしまう。
【０００３】
このように、ＵＥ１とＵＥ２が同一のセルに位置し、且つ接近していると、上記のセルラ通信方法は最適な通信方式ではない。しかし、実際上、移動通信業務の多様化発展に伴って、例えば、ソーシャルネットワーク、電子支払等が無線通信システムにおいて汎用化されるに伴って、近距離のユーザ間の業務伝送の需要がますます増えてくる。従って、機器から機器（Device-to-Device、Ｄ２Ｄと略称）への通信モードは注目を集めている。図２は関連技術に係わるＤ２Ｄ通信システムを示す図である。図２に示すように、Ｄ２Ｄとは業務データが基地局を経て伝送されるのではなく、直接ソースＵＥからエアインターフェースを介してターゲットＵＥに伝送することを言う。当該通信モードは既存のセルラシステムの通信モードと異なっている。近距離通信のユーザにとって、Ｄ２Ｄによると無線周波数スペクトルリソースを節約できると共に、コアネットワークのデータ伝送圧力を低減させることもできる。
【０００４】
上述のように、Ｄ２Ｄ通信は既存のセルラ通信方式と明らかに異なっている。一方、ＵＥにとって見れば、Ｄ２Ｄ通信を行うと共に、ネットワーク側とのセルラ伝送を行うこともあり、この時、システムの設計は更に複雑になる。このような仮説状況下、ＵＥのＤ２Ｄ通信とセルラ通信との間の衝突を防止することも機器から機器への通信の研究で必ず考慮しなければならない問題になる。
【発明の概要】
【発明が解決しようとする課題】
【０００５】
本発明は、少なくとも関連技術における機器から機器への通信ＨＡＲＱ伝送にリソースを割り当てる問題を解決すると共に、ＵＥのＤ２Ｄ通信とセルラ通信の互換性を保証できる機器から機器への通信方法及び通信装置を提供することをその目的とする。
【課題を解決するための手段】
【０００６】
上記ユーザ機器が専用サブフレームで機器から機器への通信を行うステップが、指示シグナリングによりユーザ機器による機器から機器への通信の送信サブフレームを指示し、ユーザ機器が予め設定した規則に従って、機器から機器への通信の受信サブフレームを確定し、ここで、予め設定した規則は当該送信サブフレームに対応するセルラアップリンク伝送のＨＡＲＱプロセス間隔の予め設定した数量のセルラアップリンク伝送のＨＡＲＱプロセスに対応するサブフレームが機器から機器への通信を行う際の受信サブフレームである、又は、予め設定した規則は送信サブフレームがセルラアップリンク伝送ＨＡＲＱプロセス中の一部のサブフレームに対応し、セルラアップリンク伝送ＨＡＲＱプロセス中の他のサブフレームは機器から機器への通信を行う際の受信サブフレームである、又は、指示シグナリングにより機器から機器への通信の送信サブフレームと受信サブフレームを指示することを含むことが好ましい。
【０００７】
上記ビットマップ指示シグナリングによって機器から機器への通信用の専用サブフレームを指示し、ここで、ビットマップ指示シグナリング中の各ビットはそれぞれ、セルラアップリンク伝送ＨＡＲＱプロセスに対応するサブフレームが専用サブフレームとして配置されたか否かを示し、又は、ビットマップ指示シグナリング中の各ビットがそれぞれ、無線フレーム中のサブフレームが専用サブフレームとして配置されたか否かを示すことが好ましい。
【０００８】
本発明の他の一形態によると、機器から機器への通信装置を提供する。
本発明に係わる機器から機器への通信装置は、セルラアップリンク伝送のＨＡＲＱプロセスに応じて、機器から機器への通信に用いられる専用サブフレームを配置する配置モジュールと、配置モジュールが配置した専用サブフレームに応じて、機器から機器への通信用の専用サブフレームを指示するための指示シグナリングを生成するシグナリング生成モジュールと、シグナリング生成モジュールが生成した指示シグナリングをユーザ機器に送信する送信モジュールと、を含む。
【０００９】
上記専用サブフレームが、ユーザ機器が機器から機器への通信を行う際の送信サブフレーム、ユーザ機器が機器から機器への通信を行う際の受信サブフレーム、ユーザ機器が機器から機器への通信を行う際の送受信サブフレームの中の一つであることが好ましい。
【００１０】
上記配置モジュールが、指示シグナリングによってユーザ機器による機器から機器への通信の送信サブフレームを指示し、ユーザ機器が予め設定した規則に従って、機器から機器への通信の受信サブフレームを確定する第１の配置ユニットと、ここで、予め設定した規則は当該送信サブフレームに対応するセルラアップリンク伝送のＨＡＲＱプロセス間隔の予め設定した数量のセルラアップリンク伝送のＨＡＲＱプロセスに対応するサブフレームが機器から機器への通信を行う際の受信サブフレームである、又は、予め設定した規則は送信サブフレームがセルラアップリンク伝送ＨＡＲＱプロセス中の一部のサブフレームに対応し、セルラアップリンク伝送ＨＡＲＱプロセス中の他のサブフレームは機器から機器への通信を行う際の受信サブフレームであって、指示シグナリングによって機器から機器への通信の送信サブフレームと受信サブフレームを指示する第２の配置ユニットの中の一つを含むことが好ましい。
【００１１】
本発明の他の一形態によると、機器から機器への通信装置を提供する。
本発明に係わる機器から機器への通信装置は、専用サブフレーム配置指示シグナリングを受信する受信モジュールと、ここで、指示シグナリングは専用サブフレームを指示するためのもであって、当該専用サブフレームはセルラアップリンク伝送ハイブリッド自動再送要求ＨＡＲＱプロセスに応じて配置した機器から機器への通信に用いられる専用サブフレームであって、専用サブフレームで機器から機器への通信を行う通信モジュールと、を含む。
【００１２】
上記専用サブフレームが、ユーザ機器が機器から機器への通信を行う際の送信サブフレーム、ユーザ機器が機器から機器への通信を行う際の受信サブフレーム、ユーザ機器が機器から機器への通信を行う際の送受信サブフレームの中の一つであることが好ましい。
【００１３】
上記通信モジュールが、指示シグナリングに応じて機器から機器への通信の送信サブフレームを確定し、予め設定した規則に従って機器から機器への通信の受信サブフレームを確定する第１の確定ユニットと、ここで、予め設定した規則は、当該送信サブフレームに対応するセルラアップリンク伝送ＨＡＲＱプロセス間隔の予め設定した数量のセルラアップリンク伝送のＨＡＲＱプロセスに対応するサブフレームが機器から機器への通信を行う際の受信サブフレームであって、又は、予め設定した規則は、送信サブフレームがセルラアップリンク伝送ＨＡＲＱプロセス中の一部のサブフレームに対応し、セルラアップリンク伝送ＨＡＲＱプロセス中の他のサブフレームが機器から機器への通信を行う際の受信サブフレームであって、指示シグナリングに応じて機器から機器への通信の送信サブフレームと受信サブフレームを確定する第２の確定ユニットの中の一つを含むことが好ましい。
【発明の効果】
【００１４】
本発明によると、セルラアップリンク伝送のＨＡＲＱプロセスに応じて専用サブフレームを配置し、ユーザ機器が専用サブフレームで機器から機器への通信を行うことによって、セルラ通信とユーザ機器によるＤ２Ｄ通信が互いに干渉することがなく、関連技術において機器から機器への通信にリソースを割り当てる問題を解決し、同時に、ＵＥのＤ２Ｄ通信とセルラ通信との間の衝突を防止し、セルラ伝送と機器間のＤ２Ｄ通信を同時に行う際に、両方の互換性を保証し、データ伝送の信頼性を確保し、ユーザ体験の効果を向上させる。
【００１５】
ここで説明する図面は本発明を理解させるためのもので、本発明の一部を構成し、本発明における実施形態と共に本発明を解釈し、本発明を不当に限定するのではない。
【図面の簡単な説明】
【００１６】
【図１】関連技術に係わるＵＥが同一の基地局セルに位置する際のセルラ通信を示す図である。
【図２】関連技術に係わるＤ２Ｄ通信システムを示す図である。
【図３】本発明の実施形態に係わる機器から機器への通信方法を示すフローチャートである。
【図４】関連技術に係わるＬＴＥ/ＬＴＥ−Ａシステムの無線フレーム構造を示す図である。
【図５】本発明の好適な実施形態１に係わるセルラ通信のアップリンク伝送ＨＡＲＱプロセスに応じてＤ２Ｄにサブフレームを割り当てることを示す図である。
【図６】本発明の好適な実施形態１に係わるセルラ通信のアップリンク伝送ＨＡＲＱプロセスに応じてＤ２Ｄにサブフレームを割り当てることを示す図である。
【図７】本発明の好適な実施形態１に係わるセルラ通信のアップリンク伝送ＨＡＲＱプロセスに応じてＤ２Ｄにサブフレームを割り当てることを示す図である。
【図８】本発明の好適な実施形態１に係わるセルラ通信のアップリンク伝送ＨＡＲＱプロセスに応じてＤ２Ｄにサブフレームを割り当てることを示す図である。
【図９】本発明の好適な実施形態１に係わるセルラ通信のアップリンク伝送ＨＡＲＱプロセスに応じてＤ２Ｄにサブフレームを割り当てることを示す図である。
【図１０】本発明の好適な実施形態１に係わるセルラ通信のアップリンク伝送ＨＡＲＱプロセスに応じてＤ２Ｄにサブフレームを割り当てることを示す図である。
【図１１】本発明の好適な実施形態２に係わるＴＤＤシステムにおいて無線フレーム周期に応じてＤ２Ｄ通信にサブフレームを割り当てることを示す図である。
【図１２】本発明の好適な実施形態２に係わるＴＤＤシステムにおいて無線フレーム周期に応じてＤ２Ｄ通信にサブフレームを割り当てることを示す図である。
【図１３】本発明の好適な実施形態３に係わるＦＤＤシステムにおいて専用サブフレーム指示シグナリングを配置することでＤ２Ｄ通信にサブフレームを割り当てることを示す図である。
【図１４】は、本発明の好適な実施形態３に係わるＦＤＤシステムにおいて専用サブフレーム指示シグナリングを配置することでＤ２Ｄ通信にサブフレームを割り当てることを示す図である。
【図１５】本発明の好適な実施形態４に係わるＴＤＤシステムにおいて専用サブフレーム指示シグナリングを配置することでＤ２Ｄ通信にサブフレームを割り当てることを示す図である。
【図１６】本発明の好適な実施形態４に係わるＴＤＤシステムにおいて専用サブフレーム指示シグナリングを配置することでＤ２Ｄ通信にサブフレームを割り当てることを示す図である。
【図１７】本発明の実施形態に係わる他の機器から機器への通信方法を示すフローチャートである。
【図１８】本発明の実施形態に係わる機器から機器への通信装置の構造を示すブロック図である。
【図１９】本発明の好適な実施形態に係わる機器から機器への通信装置の構造を示すブロック図である。
【図２０】本発明の実施形態に係わる他の機器から機器への通信装置の構造を示すブロック図である。
【図２１】本発明の好適な実施形態に係わる他の機器から機器への通信装置の構造を示すブロック図である。
【発明を実施するための形態】
【００１７】
以下、図面を参照しつつ実施形態を結合して本発明を詳しく説明する。ここで、衝突しない限り、本願の実施形態及び実施形態中の特徴を互いに組み合わせることができる。
【００１８】
図３は、本発明の実施形態に係わる機器から機器への通信方法を示すフローチャートである。図３に示すように、当該方法は以下のステップを含む。
セルラアップリンク伝送のＨＡＲＱプロセスに応じて専用サブフレームを配置し（ステップＳ３０２）、ここで、当該専用サブフレームは機器から機器への通信に用いられる。
専用サブフレームの配置に応じて指示シグナリングを生成し（ステップＳ３０４）、ここで、指示シグナリングは専用サブフレームを指示するものである。
指示シグナリングをユーザ機器に送信する（ステップＳ３０６）。
【００１９】
関連技術において、Ｄ２Ｄ通信を支援するセルラ通信システムにおいて、Ｄ２Ｄ通信を行うＵＥが同時にネットワーク側とデータ交換、例えばネットワークノードから送信されたデータを受信したり、又はネットワークノードにデータを送信したりする必要がある。セルラ通信とＤ２Ｄ通信が共に存在し、且つ、ネットワーク側が制御及びスケジューリングを行い場合、セルラ通信とＤ２Ｄ通信の間に衝突が発生する可能性がある。データパケットの初回の送信はＤ２Ｄ通信をセルラ通信と異なるリソースにスケジューリングする、例えば、異なるサブフレームにスケジューリングすること方式で行うことで両方の衝突を避けることができる。しかし、再送の場合、更に複雑になる。例えば、セルラアップリンク伝送が同期ＨＡＲＱの伝送方式をとると、データパケットの第１回の伝送を行った後、再送の位置は確定される。従って、Ｄ２Ｄ伝送に上りリソースを用いる場合、Ｄ２Ｄ伝送のサブフレームの位置が不当であると、Ｄ２Ｄ伝送とセルラ伝送とが衝突してしまう。セルラリンク同期ＨＡＲＱ伝送方式の場合、衝突は１回の伝送に限られず、当該プロセスの全てのサブフレームの伝送に及ぼす。図３に示す方法によると、ネットワーク側の機器がセルラアップリンク伝送のＨＡＲＱプロセスに応じて専用サブフレームを配置し、専用サブフレーム配置指示シグナリングを生成し、当該指示シグナリングは機器から機器への通信用の専用サブフレームを指示するためのものであって、ユーザ機器が専用サブフレーム指示シグナリングにより指示された専用サブフレームで機器から機器への通信を行い、ネットワーク側のセルラ通信とユーザ機器によるＤ２Ｄ通信が互いに干渉することがなく、関連技術において機器から機器への通信にリソースを割り当てる問題を解決し、同時に、ＵＥのＤ２Ｄ通信とセルラ通信との間の衝突を防止し、同時にセルラ伝送と機器間のＤ２Ｄ通信を行う際に両方の互換性を保証でき、データ伝送の信頼性を確保でき、ユーザ体験の効果を向上させる。
【００２０】
第３世代パートナーシップ・プロジェクト（3rd  Generation  Partnership  Project、３ＧＰＰと略称）長期型進化（Long  Term  Evolution、ＬＴＥと略称）/ＬＴＥ−Ａ（ＬＴＥ−Ａdvanced）システムダウンリンク伝送は、直交周波数分割多元接続（Orthogonal  Frequency  Division  Multiplexing  Access、ＯＦＤＭＡと略称）技術を基にし、アップリンク伝送は単一搬送波周波数分割多元接続（Single  carrier-Frequency  Division  Multiplexing  Access、ＳＣ−ＦＤＭＡと略称）方式を用いる。ＯＦＤＭＡ/ＳＣ−ＦＤＭＡシステムにおいて、通信リソースは時間―周波数の二次元の形態をとる。例えば、ＬＴＥ/ＬＴＥ−Ａシステムの場合、図４に示すように、アップリンク伝送とダウンリンク伝送の通信リソースは時間方向でいずれも無線フレーム（radio  frame、フレームと略称）を単位に区画され、ここで、各フレームの長さは１０ミリ秒（mili-second、ｍｓと略称）であって、各フレームは１０個の長さが１ｍｓのサブフレーム（sub-frame）を含み、各サブフレームはさらに２つの長さが０.５ｍｓであるスロット（slot）を含む。サイクリックプレフィックス（Cyclic  Prefix、ＣＰと略称）の長さの違いに基づいて、各スロットは７個又は６個のＯＦＤＭ又はＳＣ−ＦＤＭシンボルを含み、ここで、７と６はそれぞれ、普通のサイクリックプレフィックス（Normal  CP）と拡張サイクリックプレフィックス（Extended  CP）に対応する。
【００２１】
二重モードの違いに応じて、ＬＴＥ/ＬＴＥ−Ａシステムはさらに、時分割複信（Time-Division  Duplex、ＴＤＤと略称）システムと周波数分割複信（FreqＵＥncy-Division  Duplex、ＦＤＤと略称）システムとの２つのモードに分けられる。ＦＤＤシステムは、２つの周波数帯域をそれぞれ、ダウンリンク伝送（ネットワーク側から端末へ）とアップリンク伝送（端末からネットワーク側へ）の信号の伝送に用いていて、これに対応し、時間周波数リソースはそれぞれ、下りサブフレームと上りサブフレームとに呼ばれる。ＴＤＤシステムにおいて、一つの周波数帯域を同時に上りダウンリンク伝送の信号の伝送に用いていて、上りとダウンリンク伝送の信号伝送を異なるサブフレームに割り当てることによって二つのリンクの多重化を実現する。ＬＴＥ/ＬＴＥ−Ａバージョンにおいて、上り下りサブフレームの数量の比例に違いに応じて、ＴＤＤシステムは７種類の上り下り配置（Uplink-downlink  configuration）を支援する。表１は、関連技術に係わるＴＤＤ  ＬＴＥシステム中のサブフレームの上り/下り配置形態を示す。
【００２２】
【表１】
2015518309.tif 000003
【００２３】
表１において、Ｄは下りサブフレームを示し、Ｕは上りサブフレームを示し、Ｓは特別なサブフレームを表す。Ｓサブフレームは、一部の下りシンボル（Downlink  Pilot  Time  Slot、ＤｗＰＴＳと略称）と、上りシンボル（Uplink  Pilot  Time  Slot、ＵｐＰＴＳと略称）と、上り/下り間の変換の保護間隔（Guard  Period、GPと略称）と、を含む。
【００２４】
ＬＴＥ/ＬＴＥ−Ａセルラ通信システムにおいて、業務データは、下り共有チャネル（Downlink  Shared  Channel、DL-SCHと略称）と上り共有チャネル（Uplink  Shared  Channel、UL-SCHと略称）で伝送され、物理層の物理下り共有チャネル（Physical  Downlink  Shared  Channel、ＰＤＳＣＨと略称）と物理上り共有チャネル（Physical  Uplink  Shared  Channel、ＰＵＳＣＨと略称）に対応する。また、共有チャネル中のデータ伝送について、対応する許可情報で指示する必要があって、指示する内容は、リソース割り当て位置、コード変調方式、パワー制御情報、マルチ入力マルチ出力（Multi-In  Multi-Out、MIMOと略称）に関連する情報を含む。セルラ通信において、上記の許可情報は、下り制御情報（Downlink  Control  Information、ＤＣＩと略称）の形態で物理下り制御チャネル（Physical  Downlink  Control  Channel、ＰＤＣＣＨと略称）を介して送信される。
【００２５】
図５〜図１０は、本発明の好適な実施形態１に係わるセルラ通信のアップリンク伝送ＨＡＲＱプロセスに応じてＤ２Ｄにサブフレームを割り当てることを示す図である。
【００２６】
当該好適な実施形態において、ＬＴＥ/ＬＴＥ−Ａシステム中の上りプロセスは同期である可能性もあって、即ち、業務データが伝送された後、受信端に受信エラーが発生すると、当該業務データの再送の時間順の関係は既知のもので、つまり、ＨＡＲＱプロセスの往復時間（Round  Trip  Time、ＲＴＴと略称）は既知のものである。Ｄ２Ｄ通信のセルラ伝送に対する影響を避けるため、Ｄ２Ｄ通信が上りリソースを占める場合、セルラ通信のアップリンク伝送ＨＡＲＱプロセスに応じてＤ２Ｄにリソースを割り当てることができ、即ち、一つ又は複数のＨＡＲＱプロセスのサブフレームを専用サブフレームとして割り当ててＤ２Ｄ通信の伝送に用いることができる。
【００２７】
例えば、ＦＤＤシステムにおいて、アップリンク伝送は８つのプロセスを有し、その中の一つ又は複数のプロセスのサブフレームをＤ２Ｄ伝送の専用サブフレームとして割り当てることができ、図５でグリッド線で示すサブフレームように、一つのプロセスをＤ２Ｄ通信用として割り当てることができる。
【００２８】
例えば、ＴＤＤシステムにおいて、アップリンク伝送のプロセス数は具体的な上り下り配置に関連し、ＴＤＤ上り下り配置（UL-DL  configuration）１のアップリンク伝送に４つのＨＡＲＱプロセスがあるとすると、一つ又は複数のプロセスのサブフレームをＤ２Ｄ伝送の専用サブフレームとして割り当てることができ、例えば、図６でグリッド線で示すサブフレームに示すように、一つのＨＡＲＱプロセスのサブフレームをＤ２Ｄ通信用として割り当てることができる。
【００２９】
例えば、ＴＤＤシステムの上り下り配置７のアップリンク伝送が６つのＨＡＲＱプロセスを有し、図７でグリッド線で示すサブフレームのように、一つのＨＡＲＱプロセスをＤ２Ｄ通信用として割り当てることができる。
【００３０】
上記専用サブフレームが、
（１）ユーザ機器が機器から機器への通信を行う際の送信サブフレームと、
（２）ユーザ機器が機器から機器への通信を行う際の受信サブフレームと、
（３）ユーザ機器が機器から機器への通信を行う際の送受信サブフレームの中の一つであることが好ましい。
【００３１】
上記の好適な実施形態１において、割り当てた一つのＨＡＲＱプロセスの専用サブフレームを一つのリンクでの伝送のみに用いる、例えばＤ２Ｄ通信中のＵＥ１からＵＥ２への伝送のみに用いる、又は、２つのリンクで用いる、即ち、ＵＥ１からＵＥ２への伝送に用いると共にＵＥ２からＵＥ１への伝送にも用いることができ、どのリンクを用いるかは動的に調節するか、又は間隔に応じて割り当てることができる。例えば、あるＨＡＲＱプロセス中の現在のサブフレームがＵＥ１からＵＥ２への伝送に用いられると、当該ＨＡＲＱプロセスの次のサブフレームはＵＥ２からＵＥ１への伝送に用いられ、また、その反対であってもよい。
【００３２】
割り当てた一つのＨＡＲＱプロセスの専用サブフレームが一つのリンクの伝送のみに用いられる場合、Ｄ２Ｄ通信を行う両方のＵＥがいずれもデータを伝送する必要があると、少なくとも２つのＨＡＲＱプロセスに対応するサブフレームを当該Ｄ２Ｄ通信用として割り当てる必要がある。即ち、Ｄ２Ｄ通信を行う一つのユーザ機器の場合、その中の１組の専用サブフレームはＤ２Ｄ送信サブフレームで、即ち、当該組のサブフレームにおいてＤ２Ｄ通信を行う相手ＵＥへ送信し、他の１組の専用サブフレームはＤ２Ｄ受信サブフレームで、即ち、当該組のサブフレームでＤ２Ｄ通信を行う相手ＵＥから送信されるデータを受信する。Ｄ２Ｄ通信を行う２つのＵＥの場合、専用サブフレームの送信サブフレームと受信サブフレームの意味はちょうど相反する。
【００３３】
少なくとも２つのＨＡＲＱプロセスのサブフレームをＤ２Ｄ通信用として割り当てる場合、適切な間隔を有するように、２つのＨＡＲＱプロセスを合理的に割り当てることで、Ｄ２Ｄ通信を行う際のフィードバック情報の伝送時間を保証することができる。例えば、ＦＤＤシステムにおいて、割り当てた２組のサブフレームの間隔は、図８に示すように、４である。当該規則によると、ＵＥが相手ＵＥに業務データを送信した後、相手ＵＥが間隔が４であるサブフレームにて当該業務データへの応答フィードバック情報を送信することができる。即ち、ＦＤＤシステム中のＤ２Ｄ送信専用サブフレームと受信専用サブフレームの配置は逐一対応し、且つ、４つのサブフレームの間隔をあけている。
【００３４】
機器から機器への通信のＨＡＲＱプロセスの往復時間ＲＴＴがセルラアップリンク伝送ＨＡＲＱプロセスのＲＴＴと同じであるか、又は、機器から機器への通信のＨＡＲＱプロセスのＲＴＴがセルラアップリンク伝送ＨＡＲＱプロセスのＲＴＴの２倍であるか、又は、機器から機器への通信のＨＡＲＱプロセスのＲＴＴが専用サブフレーム中のサブフレーム分布、フィードバック遅延、スケジューリング遅延から確定され、又は、機器から機器への通信のＨＡＲＱプロセスのＲＴＴがセルラアップリンク伝送の連続する２つのＲＴＴの和であることが好ましい。
【００３５】
好適な実施形態１において、割り当てた一つのＨＡＲＱプロセスの専用サブフレームを２つのリンクで用いて、ＵＥ１からＵＥ２への伝送に用いると共に、ＵＥ２からＵＥ１への伝送に用いることができ、具体的にどのリンクを用いるかは動的に調節するか又は間隔に応じて割り当てることができる。例えば、あるＨＡＲＱプロセス中の現在のサブフレームがＵＥ１からＵＥ２への伝送に用いられると、当該ＨＡＲＱプロセスの次のサブフレームをＵＥ２からＵＥ１への伝送に用いることができ、その反対であってもよい。図９に、ＦＤＤシステムにおいて、割り当てた一つのセルラアップリンク伝送ＨＡＲＱプロセスのサブフレームはＤ２Ｄ通信を行う２つのリンクに用いられ、且つ、間隔に応じてＤ２Ｄ伝送を割り当てる例を示す。図９において、グリッド線で示すサブフレームとグリッド点で示すサブフレームの合計がセルラ通信の一つのＨＡＲＱプロセスに対応し、２つのパターはそれぞれ、２つのリンクの伝送を示し、例えば、ＵＥ１からＵＥ２への伝送及びＵＥ２からＵＥ１への伝送を示す。即ち、Ｄ２Ｄ通信用のセルラＨＡＲＱプロセスにおいて、現在のサブフレームがＵＥ１からＵＥ２への伝送に用いられると、当該プロセスの次のサブフレームはＵＥ２からＵＥ１への伝送に用いられる。即ち、ＦＤＤにおいて、Ｄ２Ｄ通信のＨＡＲＱを伝送する際、その往復時間はセルラアップリンク伝送のＲＴＴの２倍である。
【００３６】
ＴＤＤシステムにおいて、割り当てた一つのセルラアップリンク伝送ＨＡＲＱプロセスのサブフレームは同時にＤ２Ｄ通信を行う２つのリンクに用いられ、且つ、間隔に応じてＤ２Ｄ伝送を割り当て、その例を図１０に示す。図１０において、同様に、ＴＤＤシステムにおいて、Ｄ２Ｄ通信のＨＡＲＱを伝送する際、ＲＴＴはセルラアップリンク伝送のＲＴＴの２倍である。
【００３７】
ステップＳ４０２において、セルラアップリンク伝送のＨＡＲＱプロセスに応じて専用サブフレームを配置するステップが、
操作１：指示シグナリングにより指示された専用サブフレームがユーザ機器による機器から機器への通信の送信サブフレームで、ユーザ機器が予め設定した規則に従って機器から機器への通信の受信サブフレームを確定し、ここで、予め設定した規則は、当該送信サブフレームに対応するセルラアップリンク伝送ＨＡＲＱプロセスの間隔の予め設定した数量のセルラアップリンク伝送のＨＡＲＱプロセスに対応するサブフレームが機器から機器への通信を行う際の受信サブフレームであるか、又は、予め設定した規則は、送信サブフレームがセルラアップリンク伝送ＨＡＲＱプロセス中の一部のサブフレームに対応し、セルラアップリンク伝送ＨＡＲＱプロセス中の他のサブフレームが機器から機器への通信を行う際の受信サブフレームである。
操作２：指示シグナリングによってそれぞれ、ユーザ機器による機器から機器への通信の送信サブフレームと機器から機器への通信の受信サブフレームを指示する操作の中の一つを含むことが好ましい。
【００３８】
好適な実施において、ビットマップ指示シグナリングによって機器から機器への通信用の専用サブフレームを指示することができ、ここで、ビットマップ指示シグナリング中の各ビットはそれぞれ、セルラアップリンク伝送ＨＡＲＱプロセスに対応するサブフレーム専用サブフレームとして配置されたか否かを示し、又は、ビットマップ指示シグナリング中の各ビットはそれぞれ、無線フレーム中のサブフレームが専用サブフレームとして配置されたか否かを示す。
【００３９】
図１１〜図１２は、本発明の好適な実施形態２に係わるＴＤＤシステムにおいて無線フレーム周期に応じてＤ２Ｄ通信にサブフレームを割り当てることを示す図である。
【００４０】
当該好適な実施形態において、ＴＤＤシステムの一部の上り下り配置中のアップリンク伝送のＨＡＲＱプロセスのＲＴＴは無線フレームの周期と同じで、いずれも１０ｍｓであるので、一部の上り下り配置で、セルラ通信のアップリンク伝送ＨＡＲＱプロセスに応じてＤ２Ｄにリソースを割り当て、即ち、無線フレームを周期としてリソースを割り当て、即ち、１０ｍｓのＤ２Ｄサブフレームにリソース、例えば上り下り配置１/２/３/４/５を割り当てる。一方、他の上り下り配置０/６において、アップリンク伝送のＨＡＲＱプロセスのＲＴＴは無線フレームの周期と異なっている。例えば、図７に示すように、ＴＤＤ上り下り配置６の一つのＨＡＲＱプロセスのサブフレームである。従って、ＴＤＤシステムにおいて、全て無線フレーム周期である１０ｍｓの周期に応じてＤ２Ｄサブフレームを割り当てることができ、具体的な上り下り配置を考慮しなくてもよい。
【００４１】
上述のＤ２Ｄサブフレームの割り当て原則で、上り下り配置１/２/３/４/５のＤ２Ｄサブフレームの割り当てとセルラ通信のアップリンク伝送ＨＡＲＱプロセスによる割り当ての結果は同じであるが、上り下り配置０/６でのＤ２Ｄサブフレームの割り当てはセルラ通信のアップリンク伝送ＨＡＲＱプロセスの割り当て結果と異なっている。
【００４２】
例えば、ＴＤＤ上り下り配置０の場合、一つの無線フレームに６つの上りサブフレームがあると、Ｄ２Ｄ通信用として最高６組のサブフレームを割り当てるしかない。図１１に１組を割り当てた例を示す。
【００４３】
例えば、ＴＤＤ上り下り配置６の場合、一つの無線フレームに５つの上りサブフレームがあると、Ｄ２Ｄ通信用として最高５組のサブフレームを割り当てるしかない。図１２に１組を割り当てた例を示す。
【００４４】
当該好適な実施形態において、割り当てた１組のＤ２Ｄ専用サブフレームを同様に一つのリンクの伝送のみに用いることができ、例えば、Ｄ２Ｄ通信中のＵＥ１からＵＥ２への伝送のみに用いるか、又は、２つのリンクに用いることもでき、即ち、ＵＥ１からＵＥ２への伝送に用いると共に、ＵＥ２からＵＥ１への伝送にも用いることができ、具体的にどのリンクで用いるかは動的に調節するか、又は間隔に応じて割り当てることができ、例えば、ある組のＤ２Ｄサブフレームにおいて、現在のサブフレームがＵＥ１からＵＥ２への伝送に用いられると、当該組のＤ２Ｄサブフレームの次のサブフレームはＵＥ２からＵＥ１への伝送に用いられ、その反対であってもよい。
【００４５】
図１３〜図１４は、本発明の好適な実施形態３に係わるＦＤＤシステムにおいて専用サブフレーム指示シグナリングを配置することでＤ２Ｄ通信にサブフレームを割り当てることを示す図である。
【００４６】
当該好適な実施形態において、割り当てたＤ２Ｄサブフレーム又はプロセスがＵＥに指示する必要がある場合、明示的（explicit）シグナリングによりＤ２Ｄ通信に用いられるサブフレーム又はプロセスを指示することができる。
【００４７】
例えば、ＦＤＤシステムにおいて、ビットマップ（bitmap）の方式でＵＥに割り当てたＤ２Ｄサブフレームを指示する。当該ビットマップシグナリングの長さは８ビットで、セルラリンクの８つの上りＨＡＲＱプロセスを示す。一つのビットが「１」に設定されると、当該ビットに対応するＨＡＲＱプロセスのサブフレームがＤ２Ｄ通信用として割り当てられたことを示し、又は、当該ビットに対応するＨＡＲＱプロセスがＤ２Ｄ通信用として割り当てられたことを示す。具体的な対応関係は、ＳＦＮ  ｍｏｄ  ４=０を満たす無線フレームから開始し、８つのプロセスをそれぞれ０〜７に番号付けし、例えば、図５に示すＨＡＲＱプロセスの番号は０であって、ここで、ｍｏｄはモジュロ演算を示し、ＳＦＮはシステムフレーム番号（System  Frame  Number、ＳＦＮと略称）を示す。
【００４８】
好適な実施において、明示的シグナリングによってそれぞれ、Ｄ２Ｄ通信の送信サブフレーム/プロセスと受信サブフレーム/プロセスを指示するか、又は、明示的シグナリングによってＤ２Ｄ通信の送信サブフレームを指示し、Ｄ２Ｄ通信の受信サブフレームは暗黙（implicit）の方式で取得することができる。暗黙の方式はマッピング規則の定義であることができる。例えば、ＦＤＤシステムにおいて、当該規則は、Ｄ２Ｄ送信サブフレームとの間隔が４であるサブフレームがＤ２Ｄ受信サブフレームであることができる。例えば、図８において、グリッド線で示すのがユーザ機器のＤ２Ｄ送信サブフレームとして割り当てられた場合、グリッド点で示すサブフレームが当該ユーザ機器のＤ２Ｄ受信サブフレームであると黙認する。一つのセルラ上りＨＡＲＱプロセスのサブフレームを同時にＤ２Ｄ通信の受信と送信用として割り当てる場合、８ビットのビットマップで割り当てたＤ２Ｄサブフレーム又はプロセスを指示する際、当該Ｄ２Ｄサブフレーム中の受信サブフレームと送信サブフレームを更に確定する必要がある。例えば、確定する規則は、以下の２種類を含む：第１の種類の状況：割り当てたプロセスの一番目のサブフレームを受信サブフレームとする、第２の種類の状況：ＳＦＮ  ｍｏｄ  ８=０を満たす無線フレームから開始し、割り当てたプロセスの一番目のサブフレームが送信サブフレームである。当該２種類の状況を異なるシグナリングで示すことができ、例えば、０で第１の種類の状況を示し、１で第２の種類の状況を示すことができ、当該シグナリングによりＵＥに指示することができる。又は、１６ビットのビットマップで割り当てたＤ２Ｄサブフレームを指示することもできる。例えば、１６ビットのビットマップ中のある位置の「１」で当該ビットに対応するサブフレームがＤ２Ｄ送信サブフレームとして配置されたことを示すことができ、１６ビットのビットマップが示すサブフレームの開始位置は、ＳＦＮ  ｍｏｄ  ８=０を満たす無線フレームの一番目のサブフレームから開始する。また、当該１６ビットのビットマップにＤ２Ｄ受信サブフレームの指示の意味を暗に含むこともできる。
【００４９】
例えば、当該ビットマップにおける「１」の位置のサブフレームがＤ２Ｄ送信サブフレームであると、当該ビットマップシグナリング中の「１」の位置との間隔が８であるビットに対応するサブフレームがＤ２Ｄ受信サブフレームであると認める。
【００５０】
例えば、００００１０００００００００００で示すＤ２Ｄ送信サブフレームの配置において、図１３のグリッド線で示すように、Ｄ２Ｄ受信サブフレームの位置は、ビットマップ中の間隔が８であるサブフレーム、即ち、図１３においてグリッド点で示すように、ビットマップ中の第１３ビットが示すサブフレームである。
【００５１】
例えば、０００１００００００００００１０で示すＤ２Ｄ送信サブフレームの配置において、図１０のグリッド線で示すように、Ｄ２Ｄ受信サブフレームの位置は、ビットマップ中の間隔が８であるサブフレーム、即ち、図１４においてグリッド点で示すように、ビットマップ中の第１２ビットと第７ビットが示すサブフレームである。
【００５２】
ここで、Ｄ２Ｄ通信を行う２つのＵＥの場合、受信サブフレームと送信サブフレームの意味は相反し、即ち、一つのユーザ機器のＤ２Ｄ送信サブフレームはそれと通信を行う相手のユーザ機器のＤ２Ｄ受信サブフレームである。また、上記指示シグナリングは例えばＲＲＣシグナリングのような上位シグナリング（higher  layer  signaling）を含むが、これに限定されることはない。
【００５３】
本発明の一形態によると、機器から機器への通信方法を提供する。
本発明に係わる機器から機器への通信方法は、セルラアップリンク伝送のＨＡＲＱプロセスに応じて、機器から機器への通信に用いられる専用サブフレームを配置し、専用サブフレームの配置に応じて、専用サブフレームを指示するための指示シグナリングを生成し、指示シグナリングをユーザ機器に送信するステップを含む。
【００５４】
上記専用サブフレームが、ユーザ機器が機器から機器への通信を行う際の送信サブフレーム、ユーザ機器が機器から機器への通信を行う際の受信サブフレーム、ユーザ機器が機器から機器への通信を行う際の送受信サブフレームの中の一つであることが好ましい。
【００５５】
機器から機器への通信のＨＡＲＱプロセスの往復時間ＲＴＴがセルラアップリンク伝送のＨＡＲＱプロセスのＲＴＴと同じであって、又は、機器から機器への通信のＨＡＲＱプロセスのＲＴＴがセルラアップリンク伝送のＨＡＲＱプロセスのＲＴＴの２倍であって、又は、機器から機器への通信のＨＡＲＱプロセスのＲＴＴが専用サブフレーム中のサブフレーム分布、フィードバック遅延、スケジューリング遅延によって確定され、又は、機器から機器への通信のＨＡＲＱプロセスのＲＴＴがセルラアップリンク伝送の連続する２つのＲＴＴの和であることが好ましい。
【００５６】
セルラアップリンク伝送のＨＡＲＱプロセスに応じて専用サブフレームを配置するステップが、指示シグナリングにより指示された専用サブフレームがユーザ機器による機器から機器への通信の送信サブフレームで、ユーザ機器は予め設定した規則に従って、機器から機器への通信の受信サブフレームを確定し、ここで、予め設定した規則は、当該送信サブフレームに対応するセルラアップリンク伝送のＨＡＲＱプロセス間隔の予め設定した数量のセルラアップリンク伝送のＨＡＲＱプロセスに対応するサブフレームが機器から機器への通信を行う際の受信サブフレームでって、又は、予め設定した規則は、送信サブフレームがセルラアップリンク伝送のＨＡＲＱプロセス中の一部のサブフレームに対応し、セルラアップリンク伝送のＨＡＲＱプロセス中の他のサブフレームが機器から機器への通信を行う際の受信サブフレームであって、又は、指示シグナリングによりそれぞれユーザ機器による機器から機器への通信の送信サブフレームと機器から機器への通信の受信サブフレームを指示することを含むことが好ましい。
【００５７】
ビットマップ指示シグナリングによって機器から機器への通信用の専用サブフレームを指示し、ここで、ビットマップ指示シグナリング中の各ビットはそれぞれ、セルラアップリンク伝送ＨＡＲＱプロセスに対応するサブフレームが専用サブフレームとして配置されたか否かを示し、又は、ビットマップ指示シグナリング中の各ビットはそれぞれ、無線フレーム中のサブフレームが専用サブフレームとして配置されたか否かを示すことが好ましい。
【００５８】
本発明の他の一形態によると、機器から機器への通信方法を提供する。
ユーザ機器が、専用サブフレーム配置指示シグナリングを受信し、ここで、当該指示シグナリングは専用サブフレームを指示するためのものであって、専用サブフレームはセルラアップリンク伝送ＨＡＲＱプロセスに応じて配置した機器から機器への通信に用いられる専用サブフレームであって、ユーザ機器が、専用サブフレームで機器から機器への通信を行う。
【００５９】
上記専用サブフレームが、ユーザ機器が機器から機器への通信を行う際の送信サブフレーム、ユーザ機器が機器から機器への通信を行う際の受信サブフレーム、ユーザ機器が機器から機器への通信を行う際の送受信サブフレームの中の一つであることが好ましい。
【００６０】
図１５〜図１６は、本発明の好適な実施形態４に係わるＴＤＤシステムにおいて専用サブフレーム指示シグナリングを配置することでＤ２Ｄ通信にサブフレームを割り当てることを示す図である。
当該好適な実施形態において、割り当てたＤ２Ｄサブフレーム又はプロセスをＵＥに指示する必要がある場合、明示的（explicit）シグナリングによりＤ２Ｄ通信に用いられるサブフレーム又はプロセスを指示することができる。
【００６１】
例えば、ＴＤＤシステムにおいて、ビットマップ（bitmap）の方式でＵＥに割り当てたＤ２Ｄサブフレームを指示することができる。Ｄ２Ｄサブフレームをセルラアップリンク伝送のＨＡＲＱプロセスに応じて割り当てた場合、当該ビットマップのシグナリングの長さはＴＤＤシステム中のセルラアップリンク伝送が支援するＨＡＲＱプロセス数により決められる。表２は、関連技術に係わるＴＤＤ  ＬＴＥシステム中のサブフレームの上り/下り配置のアップリンク伝送ＨＡＲＱプロセス数を示す表である。即ち、セルラシステムの上り下り配置がそれぞれ、このような７種類である場合、Ｄ２Ｄ配置のビットマップシグナリングの長さはそれぞれ、７、４、２、３、２、１、６ビットである。
【００６２】
又は、ビットマップの長さは上記各サブフレームの上り下り配置でのＨＡＲＱプロセス数の最大値であって、即ち、ビットマップシグナリングの長さはいずれも７で、サブフレームの上り下り配置を区別する必要がなく、ただ、サブフレーム上り下り配置での上りの最大ＨＡＲＱプロセス数ｍが７より小さい場合、当該ビットマップシグナリングの前ｍビットは割り当てたＤ２Ｄサブフレームを示し、その後の７-ｍビットは意味のないものである。
【００６３】
【表２】
2015518309.tif 000004
【００６４】
ＴＤＤ上り下り配置１/２/３/４/５の場合、アップリンク伝送のＨＡＲＱプロセス数と無線フレーム中の上りサブフレーム数は逐一対応し、即ち、上りＨＡＲＱプロセスのＲＴＴは１０ｍｓであるので、Ｄ２Ｄサブフレーム配置中のビットマップシグナリングは対応する上りサブフレームに対応する。例えば、ＴＤＤ上り下り配置１の場合、ビットマップシグナリングが０１００である時、配置したＤ２Ｄサブフレームは図１５に示す通りである。
【００６５】
ＴＤＤ上り下り配置０/６の場合、上りＨＡＲＱプロセス数は無線フレーム中の上りサブフレーム数を越える。例えば、上り下り配置０の場合、一つの無線フレーム中の上りサブフレーム数は６であるが、７つの上りＨＡＲＱプロセスがあるので、Ｄ２Ｄビットマップシグナリングとサブフレーム番号は逐一対応するのではない。一つのＨＡＲＱプロセスの場合、同じサブフレーム番号が現れる周期は７つの無線フレームであるので、Ｄ２Ｄサブフレーム配置のビットマップシグナリング中の一つのビットに対応するサブフレームはＳＦＮ  ｍｏｄ  ７=０から開始でき、即ち、図１６に示すＤ２Ｄサブフレーム配置の場合、ｎ  ｍｏｄ  ７=０であると、図中のＤ２Ｄサブフレーム配置に対応するビットマップシグナリングは１００００００であって、ｎ  ｍｏｄ  ７=１であると、図中のサブフレーム配置に対応するビットマップシグナリングは００００００１であって、ここでは説明は省略する。
【００６６】
ＴＤＤ上り下り配置６の場合、一つの無線フレーム中の上りサブフレーム数は５であるが、上りＨＡＲＱプロセス数は６であるので、同じ問題が存在する。ＴＤＤ上り下り配置６において、一つのＨＡＲＱプロセスにおいて同じサブフレーム番号が現れる周期は６つの無線フレームであるので、Ｄ２Ｄサブフレーム配置のビットマップシグナリング中の一つのビットに対応するサブフレームはＳＦＮ  ｍｏｄ  ６=０から開始し、ここでは説明は省略する。
【００６７】
無線フレームの周期、即ち、１０ｍｓの周期でＤ２Ｄサブフレームを割り当てる際、ＴＤＤ上り下り配置１/２/３/４/５の場合、セルラアップリンク伝送のＨＡＲＱプロセスのＲＴＴが無線フレームの周期と同じであるので、シグナリングの配置は上述したのと同じである。ＴＤＤ上り下り配置０/６の場合、ビットマップの長さが無線フレーム中の上りサブフレームと同じで、それぞれ６と５ビットである。例えば、図９に示すＤ２Ｄサブフレーム配置の場合、ビットマップシグナリングは０００１０であって、ここでは、説明は省略する。
【００６８】
又は、ビットマップシグナリングの長さはＴＤＤシステム中の無線フレーム内の上りサブフレームの最大値であって、即ち、ビットマップシグナリングの長さがいずれも６であって、サブフレームの上り下り配置を区別する必要がなく、ただ、サブフレームの上り下り配置での上りサブフレーム数ｍが６より小さい時、当該ビットマップシグナリングの前ｍビットは割り当てたＤ２Ｄサブフレームを示し、その後の６-ｍビットは意味のないものである。
【００６９】
当該好適な実施形態において、前記ビットマップシグナリングにより指示されるＤ２ＤサブフレームをＤ２Ｄ送信に用いることができ、Ｄ２Ｄ受信に用いることもできる。Ｄ２Ｄ送信とＤ２Ｄ受信がいずれも明示的シグナリングによりユーザ機器に指示する必要がある時、上記のビットマップシグナリングは２組が必要であって、ここでは説明は省略する。
【００７０】
上記好適な実施形態に基づいて、ビットマップ中の１ビットは１組のＤ２Ｄサブフレームを示すことが好ましい。１組のＤ２Ｄサブフレームは特定のＵＥ機器から機器への通信を行う際の受信に用いられ、又は、機器から機器への通信の送信に用いられ、又は、１組のＤ２Ｄサブフレームが同時に、特定のＵＥ機器から機器への通信を行う際の送信と機器から機器への通信の受信のサブフレームを含むことができる。特定のＵＥ機器から機器への通信を行う際の送信と機器から機器への通信の受信のサブフレームを同時に含む場合、ＵＥがＤ２Ｄ受信サブフレームとＤ２Ｄ送信サブフレームを識別する必要がある。
【００７１】
例えば、Ｄ２Ｄ通信がＵＥ間の通信であるので、１組のＤ２Ｄサブフレームで送信サブフレームと受信サブフレームが交互に現れることができる。Ｄ２Ｄ受信と送信サブフレームが交互に現れる時、１ビットの指示シグナリングによってＵＥがＤ２Ｄ受信と送信を識別することができる。例えば、１組のＤ２Ｄサブフレームの開始位置で指示シグナリングが「１」である時は一番目のＤ２Ｄサブフレームが送信サブフレームであることを示し、「０」である時は一番目のＤ２Ｄサブフレームが受信サブフレームであることを示すことができる。ここで、「開始」とはＤ２Ｄサブフレーム配置の周期の開始を示す。例えば、図１５に示すサブフレーム分配方式において、Ｄ２Ｄサブフレーム配置の周期が４つの無線フレーム又は４つの無線フレームの整数倍であると、ユーザ機器に指示した指示シグナリングが「１」である時は、無線フレーム４ｎと無線フレーム４ｎ+２のサブフレーム３が当該ＵＥのＤ２Ｄ送信サブフレームであることを示す。ここで言う指示シグナリングの長さ及びその意味はいずれも例に過ぎなく、唯一の形態を表するのではない。
【００７２】
無線フレームの周期に基づいてＤ２Ｄサブフレームを割り当てる場合、当該指示シグナリングが無線フレームに対応することもできる。例えば、指示シグナリングの異なる状態でそれぞれ、偶数番号と奇数番号の無線フレーム中のＤ２Ｄサブフレームを特定のＵＥによるＤ２Ｄ送信又は受信に用いることを示す。例えば、「１」は偶数番号の無線フレーム中のＤ２ＤサブフレームをＤ２Ｄ送信に用い、奇数番号の無線フレーム中のＤ２ＤサブフレームはＤ２Ｄ受信に用いることを示し、その反対も同じである。
【００７３】
図１７は、本発明の実施形態に係わる機器から機器への通信方法を示すフローチャートである。図１７に示すように、当該方法は以下のステップを含む。
ユーザ機器が、専用サブフレーム配置指示シグナリングを受信し、ここで、当該指示シグナリングは専用サブフレームの指示に用いられ、専用サブフレームはセルラアップリンク伝送ＨＡＲＱプロセスに応じて配置した機器から機器への通信に用いられる専用サブフレームであって（ステップＳ１７０２）、
ユーザ機器が、専用サブフレームで機器から機器への通信を行う（ステップＳ１７０４）。
【００７４】
図１７に示す方法によると、関連技術において、ＵＥのＤ２Ｄ通信とセルラ通信との間の衝突を防止するように、機器から機器への通信を行う際のサブフレームを割り当てる技術案が開示されていない問題を解決し、セルラ伝送と機器間のＤ２Ｄ通信を同時に行う際に両方の衝突を防止し、データ伝送の信頼性を確保し、ユーザ体験の効果を向上させる。
【００７５】
上記専用サブフレームが、
（１）ユーザ機器が機器から機器への通信を行う際の送信サブフレームと、
（２）ユーザ機器が機器から機器への通信を行う際の受信サブフレームと、
（３）ユーザ機器が機器から機器への通信を行う際の送受信サブフレームの中の一つであることが好ましい。
【００７６】
ステップＳ１７０４において、ユーザ機器が専用サブフレームで機器から機器への通信を行うステップが、
操作１：指示シグナリングによりユーザ機器による機器から機器への通信の送信サブフレームを指示し、ユーザ機器が予め設定した規則に従って、機器から機器への通信の受信サブフレームを確定し、ここで、予め設定した規則は、当該送信サブフレームに対応するセルラアップリンク伝送のＨＡＲＱプロセス間隔の予め設定した数量のセルラアップリンク伝送のＨＡＲＱプロセスに対応するサブフレームが機器から機器への通信を行う際の受信サブフレームである、又は、予め設定した規則は、送信サブフレームがセルラアップリンク伝送ＨＡＲＱプロセス中の一部のサブフレームに対応し、セルラアップリンク伝送ＨＡＲＱプロセス中の他のサブフレームは機器から機器への通信を行う際の受信サブフレームである、
操作２：指示シグナリングによって機器から機器への通信の送信サブフレームと受信サブフレームを指示する操作の中の一つを含むことが好ましい。
【００７７】
好適な実施において、ビットマップ指示シグナリングで機器から機器への通信用の専用サブフレームを指示することが好ましく、ここで、ビットマップ指示シグナリング中の各ビットはそれぞれ、セルラアップリンク伝送ＨＡＲＱプロセスに対応するサブフレームが専用サブフレームとして配置されたか否かを示し、又は、ビットマップ指示シグナリング中の各ビットはそれぞれ、無線フレーム中のサブフレームが専用サブフレームとして配置されたか否かを示す。
【００７８】
図１８は、本発明の実施形態に係わる機器から機器への通信装置の構造を示すブロックである。図１８に示すように、当該機器から機器への通信装置は、セルラアップリンク伝送のＨＡＲＱプロセスに応じて専用サブフレームを配置する配置モジュール１０と、ここで、当該専用サブフレームは用于機器から機器への通信に用いられ、配置モジュールにより配置した専用サブフレームに応じて指示シグナリングを生成するシグナリング生成モジュール２０と、ここで、指示シグナリングは機器から機器への通信用の専用サブフレームを指示し、シグナリング生成モジュールにより生成した指示シグナリングをユーザ機器に送信する送信モジュール３０と、を含むことができる。
【００７９】
図１８に示す装置によると、関連技術において、ＵＥのＤ２Ｄ通信とセルラ通信との間の衝突を防止するように、機器から機器への通信を行う際にサブフレームを割り当てる技術案が開示されていない問題を解決し、セルラ伝送と機器間のＤ２Ｄ通信とを同時に行う際、両方の衝突の防止し、データ伝送の精確性及び信頼性を確保でき、ユーザ体験の効果を向上させる。
【００８０】
上記専用サブフレームが、
（１）ユーザ機器が機器から機器への通信を行う際の送信サブフレームと、
（２）ユーザ機器が機器から機器への通信を行う際の受信サブフレームと、
（３）ユーザ機器が機器から機器への通信を行う際の送受信サブフレームの中の一つであることが好ましい。
【００８１】
機器から機器への通信のＨＡＲＱプロセスの往復時間ＲＴＴがセルラアップリンク伝送ＨＡＲＱプロセスのＲＴＴと同じであるか、又は、機器から機器への通信のＨＡＲＱプロセスのＲＴＴがセルラアップリンク伝送ＨＡＲＱプロセスのＲＴＴの２倍であるか、又は、機器から機器への通信のＨＡＲＱプロセスのＲＴＴが専用サブフレーム中のサブフレーム分布、フィードバック遅延、スケジューリング遅延から確定され、又は、機器から機器への通信のＨＡＲＱプロセスのＲＴＴがセルラアップリンク伝送の連続する２つのＲＴＴの和であることが好ましい。
【００８２】
図１９に示すように、上記配置モジュール１０が、指示シグナリングによってユーザ機器による機器から機器への通信の送信サブフレームを指示し、ユーザ機器が予め設定した規則に従って機器から機器への通信の受信サブフレームを確定する第１の配置ユニット１００と、ここで、予め設定した規則は当該送信サブフレームに対応するセルラアップリンク伝送のＨＡＲＱプロセス間隔の予め設定した数量のセルラアップリンク伝送のＨＡＲＱプロセスに対応するサブフレームが機器から機器への通信を行う際の受信サブフレームである、又は、予め設定した規則は送信サブフレームがセルラアップリンク伝送ＨＡＲＱプロセス中の一部のサブフレームに対応し、セルラアップリンク伝送ＨＡＲＱプロセス中の他のサブフレームは機器から機器への通信を行う際の受信サブフレームであって、指示シグナリングによって機器から機器への通信の送信サブフレームと受信サブフレームを指示する第２の配置ユニット１０２の中の一つを含むことが好ましい。
【００８３】
好適な実施において、ビットマップ指示シグナリングにより機器から機器への通信用の専用サブフレームを指示することが好ましく、ここで、ビットマップ指示シグナリング中の各ビットはそれぞれ、セルラアップリンク伝送ＨＡＲＱプロセスに対応するサブフレームが専用サブフレームとして配置されたか否かを示し、又は、ビットマップ指示シグナリング中の各ビットはそれぞれ、無線フレーム中のサブフレームが専用サブフレームとして配置されたか否かを示す。
【００８４】
図２０は、本発明の実施形態に係わる機器から機器への通信装置の構造を示すブロック図である。図２０に示すように、当該機器から機器への通信装置は、専用サブフレーム配置指示シグナリングを受信する受信モジュール４０と、ここで、指示シグナリングは専用サブフレームを指示し、専用サブフレームはセルラアップリンク伝送ハイブリッド自動再送要求ＨＡＲＱプロセスに応じて配置した機器から機器への通信に用いられる専用サブフレームであって、専用サブフレームで機器から機器への通信を行う通信モジュール５０と、を含むことができる。
【００８５】
図２０に示す装置によると、関連技術において、ＵＥのＤ２Ｄ通信とセルラ通信との間の衝突を防止するように、機器から機器への通信ＨＡＲＱ伝送時のサブフレームを割り当てる技術案が開示されていない問題を解決し、セルラ伝送と機器間のＤ２Ｄ通信を同時に行う際、両方の衝突を防止し、データ伝送の精確性及び信頼性を確保し、ユーザ体験の効果を向上させる。
【００８６】
上記専用サブフレームが、
（１）ユーザ機器が機器から機器への通信を行う際の送信サブフレームと、
（２）ユーザ機器が機器から機器への通信を行う際の受信サブフレームと、
（３）ユーザ機器が機器から機器への通信を行う際の送受信サブフレームの中の一つであることが好ましい。
【００８７】
機器から機器への通信のＨＡＲＱプロセスの往復時間ＲＴＴがセルラアップリンク伝送ＨＡＲＱプロセスのＲＴＴと同じであるか、又は、機器から機器への通信のＨＡＲＱプロセスのＲＴＴがセルラアップリンク伝送ＨＡＲＱプロセスのＲＴＴの２倍であるか、又は、機器から機器への通信のＨＡＲＱプロセスのＲＴＴが専用サブフレーム中のサブフレーム分布、フィードバック遅延、スケジューリング遅延から確定されるか、又は、機器から機器への通信のＨＡＲＱプロセスのＲＴＴがセルラアップリンク伝送の連続する２つのＲＴＴの和であることが好ましい。
【００８８】
図２１に示すように、上記通信モジュール５０が、指示シグナリングによって機器から機器への通信の送信サブフレームを確定し、また、予め設定した規則に従って、機器から機器への通信の受信サブフレームを確定する第１の確定ユニット５００と、ここで、予め設定した規則は、当該送信サブフレームに対応するセルラアップリンク伝送ＨＡＲＱプロセス間隔の予め設定した数量のセルラアップリンク伝送のＨＡＲＱプロセスに対応するサブフレームが機器から機器への通信を行う際の受信サブフレームである、又は、予め設定した規則は、送信サブフレームがセルラアップリンク伝送ＨＡＲＱプロセス中の一部のサブフレームに対応し、セルラアップリンク伝送ＨＡＲＱプロセス中の他のサブフレームは機器から機器への通信を行う際の受信サブフレームであって、指示シグナリングによって機器から機器への通信の送信サブフレームと受信サブフレームを確定する第２の確定ユニット５０２の中の一つを含むことが好ましい。
【００８９】
好適な実施において、ビットマップ指示シグナリングにより機器から機器への通信用の専用サブフレームを指示することが好ましく、ここで、ビットマップ指示シグナリング中の各ビットはそれぞれ、セルラアップリンク伝送ＨＡＲＱプロセスに対応するサブフレームが専用サブフレームとして配置されたか否かを示し、又は、ビットマップ指示シグナリング中の各ビットはそれぞれ、無線フレーム中のサブフレームが専用サブフレームとして配置されたか否かを示す。
【００９０】
ここで、図１８〜図２１に示す各モジュールと各ユニットが結合された好適な動作形態は図４〜図１７に示す好適な実施形態を参照することができ、ここでは説明は省略する。
【００９１】
上述のように、上記実施形態によると、以下の技術効果を実現できる（これらの効果は、一部の好適な実施形態による効果である）：関連技術における機器から機器への通信のためにリソースを割り当てる問題を解決し、また、ＵＥのＤ２Ｄ通信とセルラ通信との間の衝突を防止し、セルラ伝送と機器間のＤ２Ｄ通信を同時に行う際に、両方の互換性を保証でき、データ伝送の信頼性を確保でき、ユーザ体験の効果を向上できる。
【００９２】
当業者にとって、上記の本発明の各ブロック又は各ステップは共通の計算装置によって実現することができ、単独の計算装置に集中させることができれば、複数の計算装置から構成されるネットワークに分布させることもでき、さらに計算装置が実行可能なプログラムのコードによって実現することもできるので、それらを記憶装置に記憶させて計算装置によって実行することができ、又はそれぞれ集積回路ブロックに製作し、又はそれらにおける複数のブロック又はステップを単独の集積回路ブロックに製作して実現することができることは明らかなことである。このように、本発明は如何なる特定のハードウェアとソフトウェアの結合にも限定されない。
【００９３】
以上は、本発明の好適な実施形態に過ぎず、本発明を限定するものではない。当業者であれば本発明に様々な修正や変形が可能である。本発明の精神や原則内での如何なる修正、置換、改良などは本発明の保護範囲内に含まれる。
【符号の説明】
【００９４】
１０  配置モジュール
１００  第１の配置ユニット
１０２  第２の配置ユニット
２０  シグナリング生成モジュール
３０  送信モジュール
４０  受信モジュール
５０  通信モジュール
５００  第１の確定ユニット
５０２  第２の確定ユニット
【図１】
2015518309.tif 000005
【図２】
2015518309.tif 000006
【図３】
2015518309.tif 000007
【図４】
2015518309.tif 000008
【図５】
2015518309.tif 000009
【図６】
2015518309.tif 000010
【図７】
2015518309.tif 000011
【図８】
2015518309.tif 000012
【図９】
2015518309.tif 000013
【図１０】
2015518309.tif 000014
【図１１】
2015518309.tif 000015
【図１２】
2015518309.tif 000016
【図１３】
2015518309.tif 000017
【図１４】
2015518309.tif 000018
【図１５】
2015518309.tif 000019
【図１６】
2015518309.tif 000020
【図１７】
2015518309.tif 000021
【図１８】
2015518309.tif 000022
【図１９】
2015518309.tif 000023
【図２０】
2015518309.tif 000024
【図２１】
2015518309.tif 000025
【国際調査報告】
2015518309.tif 000026
2015518309.tif 000027
2015518309.tif 000028
2015518309.tif 000029